(57)【要約】【課題】  いかなる方向で使用する場合でもソケット内に嵌入させた上部ナットや下部ナットの位置ずれや脱落を防止するとともに、締め付け途中でロックしてしまうのを防止することができ、操作性や作業性を高めて緩み止めナットを連続的な操作によってスムーズに雄ネジに締結することができる緩み止めナット用ソケットレンチおよび緩み止めナット締結方法を提供する。【解決手段】  上部ナット嵌入部３４、上部ナット保持手段５を有する内ソケット３と、内ソケット３を軸線方向にスライド自在に挿入させる挿入孔４１、下部ナット嵌入部４２、下部ナット保持手段６を有する外ソケット４Ａと、内ソケット３を外ソケット４Ａの先端部に臨ませる第１位置と、内ソケット３を外ソケット４Ａの先端面から後方に退避させる第２位置との間をスライドさせて内ソケット３と外ソケット４Ａとの相対位置を切り換える位置切換手段７とを有している。【選択図】  図１
2007229903.tif 000002
【特許請求の範囲】
【請求項１】
下部ナットと、この下部ナットより小径の上部ナットとの組み合わせからなる緩み止めナットを雄ネジに締結するための緩み止めナット用ソケットレンチであって、
先端部に形成されて前記上部ナットを嵌入させる上部ナット嵌入部、およびこの上部ナット嵌入部内に嵌入された前記上部ナットを保持する上部ナット保持手段を有する内ソケットと、
この内ソケットを軸線方向にスライド自在に挿入させる挿入孔、この挿入孔の先端部に設けられ前記下部ナットを嵌入させる下部ナット嵌入部、およびこの下部ナット嵌入部内に嵌入された前記下部ナットを保持する下部ナット保持手段を有する外ソケットと、
前記上部ナットを前記内ソケット内に嵌入し、あるいは前記上部ナットを締結するために前記内ソケットを前記外ソケットの先端部に臨ませる第１位置と、前記下部ナットを前記外ソケット内に嵌入し、あるいは前記下部ソケットを締結するために前記内ソケットを前記外ソケットの先端面から後方に退避させる第２位置との間をスライドさせて前記内ソケットと前記外ソケットとの相対位置を切り換える位置切換手段と
を有していることを特徴とする緩み止めナット用ソケットレンチ。
【請求項２】
請求項１において、前記上部ナット保持手段は、前記内ソケットの側壁を前記上部ナット嵌入部内に貫通した上部ナット保持用貫通孔と、この上部ナット保持用貫通孔から前記上部ナット嵌入部内に突出して前記上部ナットの外側面に当接する上部ナット押圧部材と、この上部ナット押圧部材に付勢力を付与して前記上部ナットを嵌入位置で押圧保持する上部ナット付勢部材とを有しており、
前記下部ナット保持手段は、前記外ソケットの側壁を前記下部ナット嵌入部内に貫通した下部ナット保持用貫通孔と、この下部ナット保持用貫通孔から前記下部ナット嵌入部内に突出して前記下部ナットの外側面に当接する下部ナット押圧部材と、この下部ナット押圧部材に付勢力を付与して前記下部ナットを嵌入位置で押圧保持する下部ナット付勢部材とを有していることを特徴とする緩み止めナット用ソケットレンチ。
【請求項３】
請求項１または請求項２において、前記位置切換手段は、前記外ソケットの側壁を前記挿入孔内に貫通した位置決め用貫通孔と、この位置決め用貫通孔から前記挿入孔内に突出される位置決め凸部材と、この位置決め凸部材に付勢力を付与する位置決め付勢部材と、前記内ソケットが前記第１位置にあるときに前記位置決め凸部材が当接する当該内ソケットの外側面に設けられた第１位置決め溝と、前記内ソケットが前記第２位置にあるときに前記位置決め凸部材が当接する当該内ソケットの外側面に設けられた第２位置決め溝と、前記第１位置決め溝および前記第２位置決め溝を軸線方向に沿って連続的に繋げたスライド溝とを有していることを特徴とする緩み止めナット用ソケットレンチ。
【請求項４】
請求項１から請求項３のいずれかに記載の緩み止めナット用ソケットレンチを使用して下部ナットと、この下部ナットより小径の上部ナットとの組み合わせからなる緩み止めナットを雄ネジに締結するための緩み止めナット締結方法であって、
前記位置切換手段によって前記内ソケットと前記外ソケットとの相対位置を前記第１位置に設定する第１位置設定工程と、
前記上部ナット嵌入部に前記上部ナットを嵌入する上部ナット嵌入工程と、
前記位置切換手段によって前記内ソケットと前記外ソケットとをスライドさせて相対位置を前記第２位置に設定する第２位置設定工程と、
前記下部ナット嵌入部に前記下部ナットを嵌入する下部ナット嵌入工程と、
前記緩み止めナット用ソケットレンチを締め付け方向に回転させて、前記下部ナットおよび前記上部ナットを前記雄ネジに螺合させる螺合工程と、
前記下部ナットを被締結物に対して締結する下部ナット締結工程と、
前記位置切換手段によって前記内ソケットと前記外ソケットとをスライドさせて相対位置を前記第１位置に設定して前記下部ナット嵌入部から前記下部ナットを離脱させる下部ナット離脱工程と、
前記緩み止めナット用ソケットレンチを締め付け方向に回転させて、前記上部ナットを前記下部ナットに対して締結することでロックさせるロック工程と
を有することを特徴とする緩み止めナット締結方法。
【請求項５】
下部ナットと、この下部ナットと同径の上部ナットとの組み合わせからなる緩み止めナットを雄ネジに締結するための緩み止めナット用ソケットレンチであって、
スライド軸部材と、
このスライド軸部材を軸線方向にスライド自在に挿入させる挿入孔、この挿入孔の先端部に形成されて前記上部ナットおよび前記下部ナットを嵌入させるナット嵌入部、このナット嵌入部内に嵌入された前記上部ナットを保持する上部ナット保持手段、および前記ナット嵌入部内に嵌入された前記下部ナットを保持する下部ナット保持手段とを有するソケットと、
前記スライド軸部材の先端部が前記外ソケットの先端部から前記上部ナットの高さと略同一の距離を後方に退避した第１位置と、前記スライド軸部材の先端部が前記第１位置から前記下部ナットの高さ超の距離を後方に退避した第２位置との間をスライドさせて前記スライド軸と前記ソケットとの相対位置を切り換える位置切換手段と
を有していることを特徴とする緩み止めナット用ソケットレンチ。
【請求項６】
請求項４において、前記上部ナット保持手段は、前記ソケットの側壁を前記ナット嵌入部内に貫通した上部ナット保持用貫通孔と、この上部ナット保持用貫通孔から前記ナット嵌入部内に突出して前記上部ナットの外側面に当接する上部ナット押圧部材と、この上部ナット押圧部材に付勢力を付与して前記上部ナットを嵌入位置で押圧保持する上部ナット付勢部材とを有しており、
前記下部ナット保持手段は、前記ソケットの側壁を前記ナット嵌入部内に貫通した下部ナット保持用貫通孔と、この下部ナット保持用貫通孔から前記ナット嵌入部内に突出して前記下部ナットの外側面に当接する下部ナット押圧部材と、この下部ナット押圧部材に付勢力を付与して前記下部ナットを嵌入位置で押圧保持する下部ナット付勢部材とを有していることを特徴とする緩み止めナット用ソケットレンチ。
【請求項７】
請求項４または請求項５において、前記位置切換手段は、前記ソケットの側壁を前記挿入孔内に貫通した位置決め用貫通孔と、この位置決め用貫通孔から前記挿入孔内に突出される位置決め凸部材と、この位置決め凸部材に付勢力を付与する位置決め付勢部材と、前記スライド軸部材が前記第１位置にあるときに前記位置決め凸部材が当接する当該スライド軸部材の外側面に設けられた第１位置決め溝と、前記スライド軸部材が前記第２位置にあるときに前記位置決め凸部材が当接する当該スライド軸部材の外側面に設けられた第２位置決め溝と、前記第１位置決め溝および前記第２位置決め溝を軸線方向に沿って連続的に繋げたスライド溝とを有していることを特徴とする緩み止めナット用ソケットレンチ。
【請求項８】
請求項５から請求項７のいずれかに記載の緩み止めナット用ソケットレンチを使用して下部ナットと、この下部ナットと同径の上部ナットとの組み合わせからなる緩み止めナットを雄ネジに締結するための緩み止めナット締結方法であって、
前記位置切換手段によって前記スライド軸部材と前記ソケットとの相対位置を前記第２位置に設定する第２位置設定工程と、
前記ナット嵌入部に前記上部ナットを嵌入する上部ナット嵌入工程と、
前記ナット嵌入部に前記下部ナットを嵌入する下部ナット嵌入工程と、
前記緩み止めナット用ソケットレンチを締め付け方向に回転させて、前記下部ナットおよび前記上部ナットを前記雄ネジに螺合させる螺合工程と、
前記下部ナットを被締結物に対して締結する下部ナット締結工程と、
前記位置切換手段によって前記スライド軸部材と前記ソケットとをスライドさせて相対位置を前記第１位置に設定して前記ナット嵌入部から前記下部ナットを離脱させる下部ナット離脱工程と、
前記緩み止めナット用ソケットレンチを締め付け方向に回転させて、前記上部ナットを前記下部ナットに対して締結することでロックさせるロック工程と
を有することを特徴とする緩み止めナット締結方法。
【発明の詳細な説明】
【技術分野】
【０００１】
本発明は、ソケットレンチに関するものであり、特に複数のナットから構成される緩み止めナットを連続的な操作によって雄ネジに締結するのに好適な緩み止めナット用ソケットレンチおよび緩み止めナット締結方法に関するものである。
【背景技術】
【０００２】
従来より、複数のナットから構成されて緩み止め機能を発揮する緩み止めナットを締結するための工具が知られている。例えば、特許第２５６４４７３号公報に記載のダブルナット用ソケットは、ナットを収容しうるナット係合凹所が連続して同軸上に複数個形成されている（特許文献１）。各ナット係合凹所は、対応するナットの角部と係合しうる複数個の角部を有し、これら角部同士の間には、底部側のナット係合凹所に収容されるナットの角部が通過しうる複数個の角部が形成されている。そして、開口端から二番目以下の各ナット係合凹所は、それぞれに対応するナットの厚さより若干深く形成されている。
【０００３】
これにより、各ナットは所定の隙間を隔てた状態で各ナット係合凹所に収容されるため、ソケットを回転させて各ナットをボルトに螺着する場合、ナット同士が密着せず、互いにロックすることがないとされている。
【０００４】
【特許文献１】特許第２５６４４７３号公報
【発明の開示】
【発明が解決しようとする課題】
【０００５】
しかしながら、上記特許文献１に記載された発明においては、各ナット係合凹所が、単にナットと略同形状に形成されているだけである。このため、例えばソケットの開口部を下向き（図４に示す向きと逆向き）に使用する場合、上部ナットがナット係合凹所から抜け落ちてしまうおそれがある。また、下部ナットが下方にずり落ちて上部ナットと接触し、結局、締結作業時にロックしてしてまうおそれがある。つまり、特許文献１のソケットは、開口部が上向きとなるような使用方法に限られ、そのような場面でしか上述した作用効果を十分に発揮できないという問題がある。
【０００６】
また、上記特許文献１における第２実施形態では、内ソケットがコイルバネによって外ソケットから突出する方向に付勢されており、締結作業時には、ボルトの端部が常にナットにより軸線方向に押圧されるようになっている。このため、ソケットを回転させている間は、常にコイルバネの付勢力に対抗する力を加えていなければならず操作性が悪い。また、ボルトのヘッド部を逆方向に押さえ付けていなければ、ボルトが下孔から抜けてしまうおそれがあり作業性が悪いという問題がある。
【０００７】
本発明は、このような問題点を解決するためになされたものであって、いかなる方向で使用する場合でもソケット内に嵌入させた上部ナットや下部ナットの位置ずれや脱落を防止するとともに、締め付け途中でロックしてしまうのを防止することができ、操作性や作業性を高めて緩み止めナットを連続的な操作によってスムーズに雄ネジに締結することができる緩み止めナット用ソケットレンチおよび緩み止めナット締結方法を提供することを目的としている。
【課題を解決するための手段】
【０００８】
本発明に係る緩み止めナット用ソケットレンチの特徴は、下部ナットと、この下部ナットより小径の上部ナットとの組み合わせからなる緩み止めナットを雄ネジに締結するための緩み止めナット用ソケットレンチであって、先端部に形成されて前記上部ナットを嵌入させる上部ナット嵌入部、およびこの上部ナット嵌入部内に嵌入された前記上部ナットを保持する上部ナット保持手段を有する内ソケットと、この内ソケットを軸線方向にスライド自在に挿入させる挿入孔、この挿入孔の先端部に設けられ前記下部ナットを嵌入させる下部ナット嵌入部、およびこの下部ナット嵌入部内に嵌入された前記下部ナットを保持する下部ナット保持手段を有する外ソケットと、前記上部ナットを前記内ソケット内に嵌入し、あるいは前記上部ナットを締結するために前記内ソケットを前記外ソケットの先端部に臨ませる第１位置と、前記下部ナットを前記外ソケット内に嵌入し、あるいは前記下部ソケットを締結するために前記内ソケットを前記外ソケットの先端面から後方に退避させる第２位置との間をスライドさせて前記内ソケットと前記外ソケットとの相対位置を切り換える位置切換手段とを有している点にある。
【０００９】
また、本発明において、前記上部ナット保持手段は、前記内ソケットの側壁を前記上部ナット嵌入部内に貫通した上部ナット保持用貫通孔と、この上部ナット保持用貫通孔から前記上部ナット嵌入部内に突出して前記上部ナットの外側面に当接する上部ナット押圧部材と、この上部ナット押圧部材に付勢力を付与して前記上部ナットを嵌入位置で押圧保持する上部ナット付勢部材とを有しており、前記下部ナット保持手段は、前記外ソケットの側壁を前記下部ナット嵌入部内に貫通した下部ナット保持用貫通孔と、この下部ナット保持用貫通孔から前記下部ナット嵌入部内に突出して前記下部ナットの外側面に当接する下部ナット押圧部材と、この下部ナット押圧部材に付勢力を付与して前記下部ナットを嵌入位置で押圧保持する下部ナット付勢部材とを有していることが好ましい。
【００１０】
さらに、本発明において、前記位置切換手段は、前記外ソケットの側壁を前記挿入孔内に貫通した位置決め用貫通孔と、この位置決め用貫通孔から前記挿入孔内に突出される位置決め凸部材と、この位置決め凸部材に付勢力を付与する位置決め付勢部材と、前記内ソケットが前記第１位置にあるときに前記位置決め凸部材が当接する当該内ソケットの外側面に設けられた第１位置決め溝と、前記内ソケットが前記第２位置にあるときに前記位置決め凸部材が当接する当該内ソケットの外側面に設けられた第２位置決め溝と、前記第１位置決め溝および前記第２位置決め溝を軸線方向に沿って連続的に繋げたスライド溝とを有していることが好ましい。
【００１１】
また、本発明に係る緩み止めナット締結方法の特徴は、請求項１から請求項３のいずれかに記載の緩み止めナット用ソケットレンチを使用して下部ナットと、この下部ナットより小径の上部ナットとの組み合わせからなる緩み止めナットを雄ネジに締結するための緩み止めナット締結方法であって、前記位置切換手段によって前記内ソケットと前記外ソケットとの相対位置を前記第１位置に設定する第１位置設定工程と、前記上部ナット嵌入部に前記上部ナットを嵌入する上部ナット嵌入工程と、前記位置切換手段によって前記内ソケットと前記外ソケットとをスライドさせて相対位置を前記第２位置に設定する第２位置設定工程と、前記下部ナット嵌入部に前記下部ナットを嵌入する下部ナット嵌入工程と、前記緩み止めナット用ソケットレンチを締め付け方向に回転させて、前記下部ナットおよび前記上部ナットを前記雄ネジに螺合させる螺合工程と、前記下部ナットを被締結物に対して締結する下部ナット締結工程と、前記位置切換手段によって前記内ソケットと前記外ソケットとをスライドさせて相対位置を前記第１位置に設定して前記下部ナット嵌入部から前記下部ナットを離脱させる下部ナット離脱工程と、前記緩み止めナット用ソケットレンチを締め付け方向に回転させて、前記上部ナットを前記下部ナットに対して締結することでロックさせるロック工程とを有する点にある。
【００１２】
また、本発明に係る緩み止めナット用ソケットレンチの特徴は、下部ナットと、この下部ナットと同径の上部ナットとの組み合わせからなる緩み止めナットを雄ネジに締結するための緩み止めナット用ソケットレンチであって、スライド軸部材と、このスライド軸部材を軸線方向にスライド自在に挿入させる挿入孔、この挿入孔の先端部に形成されて前記上部ナットおよび前記下部ナットを嵌入させるナット嵌入部、このナット嵌入部内に嵌入された前記上部ナットを保持する上部ナット保持手段、および前記ナット嵌入部内に嵌入された前記下部ナットを保持する下部ナット保持手段とを有するソケットと、前記スライド軸部材の先端部が前記外ソケットの先端部から前記上部ナットの高さと略同一の距離を後方に退避した第１位置と、前記スライド軸部材の先端部が前記第１位置から前記下部ナットの高さ超の距離を後方に退避した第２位置との間をスライドさせて前記スライド軸と前記ソケットとの相対位置を切り換える位置切換手段とを有している点にある。
【００１３】
また、本発明において、前記上部ナット保持手段は、前記ソケットの側壁を前記ナット嵌入部内に貫通した上部ナット保持用貫通孔と、この上部ナット保持用貫通孔から前記ナット嵌入部内に突出して前記上部ナットの外側面に当接する上部ナット押圧部材と、この上部ナット押圧部材に付勢力を付与して前記上部ナットを嵌入位置で押圧保持する上部ナット付勢部材とを有しており、前記下部ナット保持手段は、前記ソケットの側壁を前記ナット嵌入部内に貫通した下部ナット保持用貫通孔と、この下部ナット保持用貫通孔から前記ナット嵌入部内に突出して前記下部ナットの外側面に当接する下部ナット押圧部材と、この下部ナット押圧部材に付勢力を付与して前記下部ナットを嵌入位置で押圧保持する下部ナット付勢部材とを有していることが好ましい。
【００１４】
さらに、本発明において、前記位置切換手段は、前記ソケットの側壁を前記挿入孔内に貫通した位置決め用貫通孔と、この位置決め用貫通孔から前記挿入孔内に突出される位置決め凸部材と、この位置決め凸部材に付勢力を付与する位置決め付勢部材と、前記スライド軸部材が前記第１位置にあるときに前記位置決め凸部材が当接する当該スライド軸部材の外側面に設けられた第１位置決め溝と、前記スライド軸部材が前記第２位置にあるときに前記位置決め凸部材が当接する当該スライド軸部材の外側面に設けられた第２位置決め溝と、前記第１位置決め溝および前記第２位置決め溝を軸線方向に沿って連続的に繋げたスライド溝とを有していることが好ましい。
【００１５】
また、本発明に係る緩み止めナット締結方法の特徴は、請求項５から請求項７のいずれかに記載の緩み止めナット用ソケットレンチを使用して下部ナットと、この下部ナットと同径の上部ナットとの組み合わせからなる緩み止めナットを雄ネジに締結するための緩み止めナット締結方法であって、前記位置切換手段によって前記スライド軸部材と前記ソケットとの相対位置を前記第２位置に設定する第２位置設定工程と、前記ナット嵌入部に前記上部ナットを嵌入する上部ナット嵌入工程と、前記ナット嵌入部に前記下部ナットを嵌入する下部ナット嵌入工程と、前記緩み止めナット用ソケットレンチを締め付け方向に回転させて、前記下部ナットおよび前記上部ナットを前記雄ネジに螺合させる螺合工程と、前記下部ナットを被締結物に対して締結する下部ナット締結工程と、前記位置切換手段によって前記スライド軸部材と前記ソケットとをスライドさせて相対位置を前記第１位置に設定して前記ナット嵌入部から前記下部ナットを離脱させる下部ナット離脱工程と、前記緩み止めナット用ソケットレンチを締め付け方向に回転させて、前記上部ナットを前記下部ナットに対して締結することでロックさせるロック工程とを有する点にある。
【発明の効果】
【００１６】
本発明によれば、いかなる方向で使用する場合でもソケット内に嵌入させた上部ナットや下部ナットの位置ずれや脱落を防止するとともに、締め付け途中でロックしてしまうのを防止することができ、操作性や作業性を高めて緩み止めナットを連続的な操作によってスムーズに雄ネジに締結することができる。
【発明を実施するための最良の形態】
【００１７】
以下、本発明に係る緩み止めナット用ソケットレンチおよび緩み止めナット締結方法の実施形態について図面を用いて説明する。
【００１８】
図１から図７は、それぞれ本第１実施形態の緩み止めナット用ソケットレンチ１Ａを示す正面図、平面図、背面図、底面図、右側面図、左側面図、および図２の７Ａ−７Ａ線断面図、である。
【００１９】
本第１実施形態の緩み止めナット用ソケットレンチ１Ａは、下部ナット２１Ａと上部ナット２２Ａとの組み合わせからなる緩み止めナット２Ａを雄ネジに締結するためのものであり、主として、上部ナット２２Ａを嵌入させるための内ソケット３と、下部ナット２１Ａを嵌入させるための外ソケット４Ａと、上部ナット２２Ａおよび下部ナット２１Ａをそれぞれ嵌入位置で保持するための上部ナット保持手段５および下部ナット保持手段６と、内ソケット３および外ソケット４Ａをスライドさせて相対位置を切り換えるための位置切換手段７とから構成されている。
【００２０】
まず、本第１実施形態において締結対象となる緩み止めナット２Ａについて説明する。図１０および図１１に示すように、緩み止めナット２Ａは、被締結物Ｙを締結物Ｘに締結するための下部ナット２１Ａと、この下部ナット２１Ａを緩ませないように締結後にロック状態にするための上部ナット２２Ａとから構成されている。下部ナット２１Ａおよび上部ナット２２Ａは、略六角ナット形状に形成されており、下部ナット２１Ａが上部ナット２２Ａよりも大径に形成されている。各ナットのネジ穴２３は、同一径に形成されており、同一の雄ネジに螺合するようになっている。
【００２１】
また、上部ナット２２Ａには、図１０（ａ）に示すように、下部ナット２１Ａに対向する下面側から突出するように、略円錐台形状の凸部２４が形成されている。この凸部２４は、ネジ穴２３の軸心と一致するように配置されており、下方に向けて縮径するように形成されている。一方、下部ナット２１Ａには、図１１（ｂ），（ｄ）に示すように、上部ナット２２Ａに対向する上面側に、上部ナット２２Ａの凸部２４と嵌合する略円錐台形状の凹部２５が形成されている。この凹部２５は、ネジ穴２３の軸心から所定の偏心量だけ偏心された位置に配置されており、下方に向けて縮径するように形成されている。
【００２２】
なお、本第１実施形態のように、上部ナット２２Ａの対辺長さを下部ナット２１Ａの対辺長さよりも小さく形成すれば、材料費が削減されるだけではなく、上部ナット２２Ａと下部ナット２１Ａとを取り違えることがない。また、両ナットを締め付けた外観は意匠的にも優れており、別途、カバーを被せて隠したりする必要がない。また、上部ナット２２Ａの対角長さを下部ナット２１Ａの対辺長さよりも小さく形成すれば、上部ナット２２Ａの角がほとんど下部ナット２１Ａの外側に突出することがなくなるため、上部ナット２２Ａの締め付けの程度がはっきりと視認されるし、作業者が角部に指等を引っ掛けて怪我をしてしまうおそれがない。
【００２３】
また、本第１実施形態では、下部ナット２１Ａの凹部２５をネジ穴２３の軸心に対して偏心させているが、これに限られるものではなく、下部ナット２１Ａの凹部２５をネジ穴２３の軸心に一致させ、上部ナット２２Ａの凸部２４をネジ穴２３の軸心に対して偏心させるようにしてもよい。いずれの場合でも、上部ナット２２Ａの対角長さの半分の値に、凸部２４または凹部２５の偏心量を加算した値が、下部ナット２１Ａの対辺長さの半分の値以下となるように形成すれば、上部ナット２２Ａの角部が完全に下部ナット２１Ａの外側に飛び出ることがなくなり、締め付け量の視認および締め付け作業の点で最大限に効果を発揮し得るようになっている。
【００２４】
以下、本第１実施形態の緩み止めナット用ソケットレンチ１Ａの各構成部についてより詳細に説明する。図１２から図１７に示すように、内ソケット３は、外ソケット４Ａに嵌入される外形が断面略六角形状のスライド部３１と、このスライド部３１の後端部に設けられる外形が断面略円形状のヘッド部３２とを有し、その軸線方向に雄ネジを挿通させる挿通孔３３が形成されている。また、内ソケット３の先端部には、上部ナット２２Ａを嵌入させる内形が断面略六角形状の上部ナット嵌入部３４が形成されており、後端面には、図示しない締結レバーを接続するための内形が断面略四角形状のレバー接続部３５が形成されている。
【００２５】
本第１実施形態において、上部ナット嵌入部３４は、凸部２４を含まない上部ナット２２Ａの六角側面高さＨよりも深い凹状に形成されており、上部ナット２２Ａを嵌入させたとき、上部ナット２２Ａの下面が内ソケット３の先端面から突出しないようになっている。これにより、上部ナット２２Ａの下面が下部ナット２１Ａの上面と当接することがない。なお、上部ナット嵌入部３４の深さは、必ずしも六角側面高さＨ以上にしなければならないものではなく、上部ナット２２Ａが下部ナット２１Ａに接触しなければ、六角側面高さＨより浅くしても構わない。例えば、後述するように内ソケット３の第２位置を上部ナット２２Ａが下部ナット２１Ａに接触しない程度の後方側に設定されている場合には、上部ナット２２Ａが内ソケット３から多少飛び出していても締結力が得られるのであれば問題ない。
【００２６】
また、図１３および図１４に示すように、スライド部３１の外側面には、上部ナット保持手段５を構成する上部ナット保持用収容凹部３６が軸線方向に沿って細長く形成されている。そして、この上部ナット保持用収容凹部３６の先端側端部には、上部ナット嵌入部３４内に貫通する上部ナット保持用貫通孔５１が穿孔されており、後端側端部には固定ネジＳを螺合させる図示しない固定ネジ穴が形成されている。また、後述するように、スライド部３１の外側面には、位置切換手段７としての第１位置決め溝７４Ａ、第２位置決め溝７５Ａ、およびこれらを繋ぐスライド溝７６が軸線方向に沿って形成されている。
【００２７】
外ソケット４Ａは、図１８から図２３に示すように、内側に軸線方向に沿って挿入孔４１が形成された略円筒状に構成されている。前記挿入孔４１は、その断面形状が内ソケット３のスライド部３１を挿入しうる略六角形状に形成されており、内ソケット３と外ソケット４Ａとを軸線方向に互いにスライド自在に嵌入させるとともに、軸線回りには互いに回転できないようになっている。
【００２８】
また、本第１実施形態では、挿入孔４１が下部ナット２１Ａと同一の断面形状に形成されているため、その先端部が下部ナット２１Ａを嵌入させる下部ナット嵌入部４２として機能するようになっている。なお、本第１実施形態では、加工性の良さとコスト減を考慮して、挿入孔４１と下部ナット嵌入部４２とを一連の同一形状に形成しているが、これに限られるものではなく、挿入孔４１はスライド部３１を軸線方向にスライドさせるとともに、軸線回りの回転を規制し得る形状であれば、下部ナット嵌入部４２と異なる断面形状であってもよい。
【００２９】
また、図１，図８および図１８に示すように、外ソケット４Ａには、その外側面に下部ナット保持手段６を構成する下部ナット保持用収容凹部４３が軸線方向に沿って細長く形成されている。そして、この下部ナット保持用収容凹部４３の先端側端部には、下部ナット嵌入部４２内に貫通する下部ナット保持用貫通孔６１が穿孔されており、後端側端部には固定ネジＳを螺合する図示しない固定ネジ穴が形成されている。
【００３０】
また、本第１実施形態において、外ソケット４Ａの後端部近傍には、図２３に示すように、後述する位置切換手段７を構成する位置決め用貫通孔７１が形成されている。そして、この位置決め用貫通孔７１に対応する位置に、位置決め付勢部材嵌入凹溝４４が周方向に形成されている。位置決め付勢部材嵌入凹溝４４は、後述する位置決め付勢部材７３の厚さ以上の深さに形成されている。
【００３１】
上部ナット保持手段５は、上部ナット２２Ａを上部ナット嵌入部３４内の所定の嵌入位置で押圧保持する役割を果たすものであり、本第１実施形態では上部ナット２２Ａを上部ナット嵌入部３４内に完全に収容した位置で保持するようになっている。上部ナット保持手段５は、上部ナット保持用収容凹部３６と、上部ナット保持用貫通孔５１と、上部ナット押圧部材５２と、上部ナット付勢部材５３とから構成されている。
【００３２】
上部ナット保持用貫通孔５１は、前述した内ソケット３の上部ナット保持用収容凹部３６内において上部ナット嵌入部３４内に貫通されている。また、本第１実施形態において、上部ナット押圧部材５２および上部ナット付勢部材５３は、図２４に示すような板バネから構成されている。上部ナット押圧部材５２は、上部ナット保持用貫通孔５１から上部ナット嵌入部３４内に突出し、上部ナット２２Ａの外側面に当接するように屈曲されている。また、上部ナット付勢部材５３は、上部ナット保持用収容凹部３６に収容されうる程度の板厚に形成されており、ネジ止め用の円形穴５３ａを有している。
【００３３】
また、下部ナット保持手段６は、下部ナット２１Ａを下部ナット嵌入部４２内に嵌入させた嵌入位置で押圧保持する役割を果たすものであり、本第１実施形態では下部ナット２１Ａを下部ナット嵌入部４２内に完全に収容した位置で保持するようになっている。下部ナット保持手段６は、下部ナット保持用収容凹部４３と、下部ナット保持用貫通孔６１と、下部ナット押圧部材６２と、下部ナット付勢部材６３とから構成されている。
【００３４】
下部ナット保持用貫通孔６１は、前述した外ソケット４Ａの下部ナット保持用収容凹部４３内において下部ナット嵌入部４２内に貫通されている。また、下部ナット押圧部材６２および下部ナット付勢部材６３は、上部ナット保持手段５と同様、板バネから構成されており、前記下部ナット押圧部材６２は、下部ナット保持用貫通孔６１から下部ナット嵌入部４２内に突出して下部ナット２１Ａの外側面に当接するように屈曲されている。また、下部ナット付勢部材６３は、下部ナット保持用収容凹部４３に収容されうる程度の板厚に形成されており、ネジ止め用の円形穴６３ａを有している。
【００３５】
そして、図１６および図１７に示すように、上部ナット保持手段５は、その上部ナット押圧部材５２が上部ナット保持用貫通孔５１を挿通されて上部ナット嵌入部３４内に突出するように、内ソケット３の上部ナット保持用収容凹部３６内にネジ止めされる。これにより、上部ナット付勢部材５３は、上部ナット押圧部材５２に径方向内方の付勢力を付与するようになっている。また、下部ナット保持手段６は、図２１および図２２に示すように、その下部ナット押圧部材６２が下部ナット保持用貫通孔６１を挿通されて下部ナット嵌入部４２内に突出するように、外ソケット４Ａの下部ナット保持用収容凹部４３内にネジ止めされる。これにより、下部ナット付勢部材６３は、下部ナット押圧部材６２に径方向内方の付勢力を付与するようになっている。
【００３６】
つぎに、位置切換手段７について説明する。位置切換手段７は、内ソケット３と外ソケット４Ａとの相対位置を切り換える役割を果たすものであり、主として、位置決め付勢部材嵌入凹溝４４と、位置決め用貫通孔７１と、位置決め凸部材７２と、位置決め付勢部材７３と、第１位置決め溝７４Ａと、第２位置決め溝７５Ａと、スライド溝７６とから構成されている。
【００３７】
図２３に示すように、位置決め用貫通孔７１は、前述した外ソケット４Ａの位置決め付勢部材嵌入凹溝４４において挿入孔４１内に貫通するように形成されている。また、位置決め凸部材７２は、図２５に示すように、略凸形状に形成されており、位置決め用貫通孔７１に挿入されて挿入孔４１内に突出する長さを有している。位置決め付勢部材７３は、位置決め付勢部材嵌入凹溝４４内に嵌め入れられて位置決め凸部材７２を挿入孔４１の内方に付勢する役割を果たすものである。本第１実施形態において、位置決め付勢部材７３は板バネから構成されており、外ソケット４Ａの外径よりも小径のリング状に形成されている。
【００３８】
また、図１４に示すように、第１位置決め溝７４Ａおよび第２位置決め溝７５Ａは、内ソケット３のスライド部３１の外側面に軸線方向に沿って所定の間隔を隔てて形成されており、位置決め凸部材７２と嵌合しうる凹状に形成されている。そして、スライド溝７６は、第１位置決め溝７４Ａおよび第２位置決め溝７５Ａを軸線方向に沿って連続的に繋ぐように直線状に形成されている。
【００３９】
なお、本第１実施形態において、第１位置決め溝７４Ａおよび第２位置決め溝７５Ａは、位置決め凸部材７２の突出長さと同等もしくはそれよりも深い溝に形成されており、スライド溝７６は、位置決め凸部材７２の突出長さよりも浅い溝に形成されている。そして、位置決め凸部材７２が、各溝に位置決め付勢部材７３によって弾力的に嵌入されることによって、第１位置決め溝７４Ａと第２位置決め溝７５Ａとの間をスライド溝７６を介してスムーズに切り換え可能とされる。
【００４０】
また、本第１実施形態において、位置決め凸部材７２を取り付ける際には、まず、外ソケット４Ａに形成された位置決め用貫通孔７１に、第１位置決め溝７４Ａ、第２位置決め溝７５Ａおよびスライド溝７６を対応させるようにして内ソケット３を挿入する。そして、位置決め凸部材７２を位置決め用貫通孔７１に挿入してから位置決め付勢部材７３を外ソケット４Ａの位置決め付勢部材嵌入凹溝４４内に巻きつける。これにより、位置決め凸部材７２は、位置決め付勢部材７３によって挿入孔４１内方へ弾力性をもって保持される。
【００４１】
また、第１位置決め溝７４Ａと第２位置決め溝７５Ａとの間隔は、内ソケット３と外ソケット４Ａとのスライドする移動範囲を考慮して設定される。本第１実施形態では、図８，図９に示すように、内ソケット３の先端面が外ソケット４Ａの先端面とほぼ一致する位置を第１位置とし、この第１位置において位置決め凸部材７２が第１位置決め溝７４Ａに嵌入するように設定されている。また、図７に示すように、内ソケット３の先端面が第１位置から下部ナット２１Ａの高さと略同一の距離で後方に退避された位置を第２位置とし、この第２位置において位置決め凸部材７２が第２位置決め溝７５Ａに嵌入するように設定されている。
【００４２】
なお、本第１実施形態では、上部ナット嵌入部３４の深さを上部ナット２２Ａの六角側面高さＨよりも大きく設定しているため、第２位置を上記のように下部ナット２１Ａの高さ程度に退避させるだけで上部ナット２２Ａの下面が下部ナット２１Ａの上面に当接してしまうことがない。一方、仮に上部ナット嵌入部３４の深さを上部ナット２２Ａの六角側面高さＨと略同一に設定する場合には、内ソケット３の先端面が第１位置から下部ナット２１Ａの高さ超の距離を後方に退避した位置を第２位置と設定することによって、上部ナット２２Ａの下面が下部ナット２１Ａの上面に当接するのを防止しうる。
【００４３】
また、第１位置および第２位置は、上述した位置に限られるものではなく、第１位置は、内ソケット３を外ソケット４Ａの先端部に臨ませて、上部ナット２２Ａを上部ナット嵌入部３４に嵌入しうる位置、あるいは上部ナット２２Ａを締結しうる位置であればよい。また、第２位置は、内ソケット３を外ソケット４Ａの先端面から後方に退避させて上部ナット２２Ａが下部ナット２１Ａに接触しない位置であって、下部ナット２１Ａを下部ナット嵌入部４２に嵌入しうる位置、あるいは下部ナット２１Ａを締結しうる位置であればよい。
【００４４】
なお、本第１実施形態では、内ソケット３のスライド部３１の軸線方向長さを外ソケット４Ａの軸線方向長さに一致させている。これにより、内ソケット３のヘッド部３２が外ソケット４Ａの後端面に当接する位置が第１位置になるため、確認が容易であり操作性が高い。
【００４５】
つぎに、このような構成を備えた本第１実施形態における緩み止めナット用ソケットレンチ１Ａの作用および緩み止めナットの締結方法について図２６を参照しつつ説明する。
【００４６】
本実施形態の緩み止めナット用ソケットレンチ１Ａによって、緩み止めナット２ＡをボルトＢに締結する場合、まず、図２６（ａ）に示すように、内ソケット３を第１位置にスライドさせて設定する。このとき、位置決め凸部材７２は、スライド溝７６内をスライドしている間は、位置決め付勢部材７３の付勢力に対抗して径方向外方に退避した状態でスライドする。そして、位置決め凸部材７２が第１位置決め溝７４Ａの位置まで移動すると、位置決め付勢部材７３の付勢力をもって第１位置決め溝７４Ａ内に嵌入する。これにより、緩み止めナット用ソケットレンチ１Ａが容易かつスムーズに第１位置に設定されるとともに、ずれにくい。また、上部ナット嵌入部３４が外ソケット４Ａの先端部まで移動されるため、上部ナット２２Ａを嵌入させ易い。
【００４７】
つづいて、上部ナット２２Ａを上部ナット付勢部材５３の付勢力に抗して内ソケット３の上部ナット嵌入部３４に嵌入する。上部ナット２２Ａは上部ナット付勢部材５３の付勢力をもって上部ナット押圧部材５２により所定の嵌入位置で押圧保持される。これにより、嵌入された上部ナット２２Ａは、上部ナット押圧部材５２との間に発生する摩擦力により、上部ナット嵌入部３４内での位置ずれや脱落が防止される。
【００４８】
また、本第１実施形態では、上部ナット２２Ａを上部ナット嵌入部３４の底面に当接するまで嵌入することで、上部ナット２２Ａの六角側面が内ソケット３内に完全に収容される。
【００４９】
つぎに、図２６（ｂ）に示すように、内ソケット３のヘッド部３２を後方へ引っ張り、内ソケット３を第２位置までスライドさせる。このとき、位置決め凸部材７２が、スライド溝７６を経由して第２位置決め溝７５Ａまで移動すると、位置決め付勢部材７３の付勢力によって第２位置決め溝７５Ａ内に嵌入する。これにより、緩み止めナット用ソケットレンチ１Ａが容易かつスムーズに第２位置に設定されるとともに、その第２位置がずれにくい。
【００５０】
つづいて、下部ナット２１Ａを下部ナット付勢部材６３の付勢力に抗して下部ナット嵌入部４２内に嵌入する。下部ナット２１Ａは下部ナット付勢部材６３の付勢力をもって下部ナット押圧部材６２により所定の嵌入位置で押圧保持される。これにより下部ナット２１Ａは下部ナット嵌入部４２内で位置ずれや脱落が防止される。なお、下部ナット２１Ａを内ソケット３の先端面に当接するまで下部ナット嵌入部４２内に嵌入させても、上部ナット２２Ａは、その六角側面の下面が内ソケット３の先端面よりも奥側に引き込んだ位置まで嵌入されているため、下部ナット２１Ａの上面と上部ナット２２Ａの下面が当接することはなく、締結時にロックしない間隔を隔てた状態に保持される。
【００５１】
つづいて、図２６（ｃ）に示すように、締結物Ｘおよび被締結物Ｙの下孔ｈに挿通されたボルトＢに、下部ナット２１Ａおよび上部ナット２２Ａを螺合させる。具体的には、まず、ボルトＢの端部に下部ナット２１Ａのネジ穴２３を合わせた後、内ソケット３のヘッド部３２に形成されたレバー接続部３５に締結レバー（図示せず）を差し込み、緩み止めナット用ソケットレンチ１Ａを締め付け方向に回転させる。これにより、下部ナット２１ＡをボルトＢに螺合する。
【００５２】
このとき、上部ナット保持手段５および下部ナット保持手段６が、上部ナット２２Ａおよび下部ナット２１Ａをそれぞれの嵌入位置で保持している。このため、仮に緩み止めナット用ソケットレンチ１Ａを下向きで使用する場合でも、上部ナット２２Ａや下部ナット２１Ａが下方にずれたり、上部ナット嵌入部３４や下部ナット嵌入部４２から脱落してしまうことがない。
【００５３】
さらに緩み止めナット用ソケットレンチ１Ａを締め付け方向に回転させると、上部ナット２２Ａが、下部ナット２１Ａと所定の間隔を隔てた状態でボルトＢに螺合し、前記上部ナット２２Ａおよび前記下部ナット２１Ａは、常に所定の間隔を隔てた状態で螺進し、締め付け作業途中にロックしてしまうことがない。
【００５４】
つづいて、先に下部ナット２１Ａを被締結物Ｙに締結した後、図２６（ｄ）に示すように、外ソケット４Ａを後方に引き寄せ、第１位置までスライドさせる。これにより、下部ナット２１Ａが下部ナット嵌入部４２から離脱し、上部ナット２２Ａのみが上部ナット嵌入部３４に嵌入された状態となる。そして、緩み止めナット用ソケットレンチ１Ａをさらに締め付け方向に回転させると、上部ナット２２Ａのみが螺進し、図２６（ｅ）に示すように、下部ナット２１Ａに対して強固に締め付けることができる。
【００５５】
このとき、本第１実施形態では、上部ナット２２Ａの凸部２４が、下部ナット２１Ａの偏心された凹部２５に圧接しながら下方に移動し、嵌入される。このため、ボルトＢには、その径方向において互いに反対方向の剪断力が発生し、高い緩み止め効果を発揮するようになっている。
【００５６】
以上のような本第１実施形態によれば、
１．緩み止めナット用ソケットレンチ１Ａをいかなる方向に向けて使用する場合でも、下部ナット２１Ａや上部ナット２２Ａの位置ずれや脱落を防止して、作業性を向上することができる。
２．締結作業途中で下部ナット２１Ａと上部ナット２２Ａがロックするのを防止することができる。
３．第１位置と第２位置とで内ソケット３と外ソケット４Ａとの相対位置を切り換えて、締結作業時の操作性を向上することができる等の効果を奏する。
【００５７】
つぎに、本発明に係る緩み止めナット用ソケットレンチおよび緩み止めナット締結方法の第２実施形態について図２７から図４７を参照しつつ説明する。なお、上述した第１実施形態の構成と同等または相当する構成については同一の符号を付し、再度の説明を省略する。
【００５８】
本第２実施形態の緩み止めナット用ソケットレンチ１Ｂの特徴は、第１実施形態とは異なる同径の下部ナット２１Ｂおよび上部ナット２２Ｂの組み合わせからなる緩み止めナット２Ｂを締め付ける点にある。具体的には、第１実施形態の構成のうち、内ソケット３に換えてスライド軸部材８を使用するとともに、外ソケット４Ａに換えてソケット４Ｂを使用し、このソケット４Ｂに下部ナット２１Ｂおよび上部ナット２２Ｂの双方を嵌入させる構成となっている。
【００５９】
スライド軸部材８は、図３５から図４０に示すように、上部ナット嵌入部３４および上部ナット保持手段５を備えていない点を除き、第１実施形態の内ソケット３と同等の形状に形成されている。つまり、スライド軸部材８は、ソケット４Ｂ内を摺動しうる外形が断面六角形状に形成されたスライド部３１と、ヘッド部３２とを有している。そして、スライド部３１には、上部ナット２２Ｂを保持する機構が備えられておらず、下部ナット２１Ｂを締結する第２位置と上部ナット２２Ｂを締結する第１位置とを切り換えるための第１位置決め溝７４Ｂ、第２位置決め溝７５Ｂ、およびスライド溝７６が形成されている。
【００６０】
また、ソケット４Ｂは、図４１から図４６に示すように、上部ナット保持手段５を備えている点を除き、第１実施形態の外ソケット４Ａと同等の形状に形成されている。つまり、ソケット４Ｂは、スライド軸部材８をスライド自在に挿通する内形が断面六角形状の挿入孔４１を備えており、下部ナット保持手段６、上部ナット保持手段５、位置切換手段７を備えている。このうち上部ナット保持手段５は、上部ナット２２Ｂの嵌入される位置に合わせて上部ナット保持用貫通孔５１が穿孔されており、上部ナット押圧部材５２が挿通孔３３内に突出するように固定されている。なお、上部ナット保持手段５は、図４３に示すように、下部ナット保持手段６とは反対側の外側面に設けられている。
【００６１】
そして、前述したスライド軸部材８に形成された第１位置決め溝７４Ｂおよび第２位置決め溝７５Ｂの形成位置を定める第１位置および第２位置は以下のように設定されている。つまり、第１位置は、図３３に示すように、スライド軸部材８の先端面がソケット４Ｂの先端面から上部ナット２２Ｂの高さと略同一の距離を後方に退避した位置とし、この第１位置において、位置決め凸部材７２が第１位置決め溝７４Ｂに嵌入するように設定される。また、第２位置は、図３４に示すように、スライド軸部材８の先端面が第１位置から下部ナット２１Ｂの高さ超の距離を後方に退避した位置とし、この第２位置において、位置決め凸部材７２が第２位置決め溝７５Ｂに嵌入するように設定される。
【００６２】
したがって、本第２実施形態では、緩み止めナット用ソケットレンチ１Ｂが第２位置に設定されたとき、ソケット４Ｂの挿入孔４１の先端部が、下部ナット２１Ｂおよび上部ナット２２Ｂを嵌入させるナット嵌入部４５として機能するようになっている。
【００６３】
以上のような本第２実施形態の緩み止めナット用ソケットレンチ１Ｂによって締結物Ｘと被締結物Ｙとを締結する場合、まず、図４７（ａ）に示すように、スライド軸部材８を後方に引っ張り第２位置までスライドさせて設定する。これにより、ソケット４Ｂの先端部にナット嵌入部４５が開口されるため、先に上部ナット２２Ｂを嵌入させた後、つづけて図４７（ｂ）に示すように、下部ナット２１Ｂを嵌入させる。
【００６４】
このとき、ナット嵌入部４５は、下部ナット２１Ｂおよび上部ナット２２Ｂの合計高さよりも大きい深さ寸法に形成されている。このため、上部ナット２２Ｂをスライド軸部材８の先端面に当接するまで嵌入させるとともに、下部ナット２１Ｂの下面が、ソケット４Ｂの先端面と一致するように下部ナット２１Ｂを嵌入させれば、上部ナット２２Ｂと下部ナット２１Ｂとの間には両者が接触しないような所定の間隔が隔てられる。そして、上部ナット保持手段５および下部ナット保持手段６が所定の間隔を隔てた嵌入位置において上部ナット２２Ｂおよび下部ナット２１Ｂを押圧保持する。
【００６５】
つづいて、図４７（ｃ）に示すように、締結物Ｘおよび被締結物Ｙの下孔ｈに挿通されたボルトＢに、下部ナット２１Ｂおよび上部ナット２２Ｂを螺合させる。このとき、上部ナット保持手段５および下部ナット保持手段６が、上部ナット２２Ｂおよび下部ナット２１Ｂをそれぞれ押圧保持しているため、緩み止めナット用ソケットレンチ１Ｂをいかなる方向に向けても、下部ナット２１Ｂや上部ナット２２Ｂの収容位置がずれたり、ナット嵌入部４５から脱落してしまうことがない。また、下部ナット２１Ｂと上部ナット２２Ｂは、常に所定の間隔を隔てた状態で螺入されるため、締め付け作業途中でロックしてしまうことを確実に防止できる。
【００６６】
つぎに、先に被締結物Ｙに当接する下部ナット２１Ｂを強固に締結した後、図４７（ｄ）に示すように、ソケット４Ｂを後方に引き寄せ、第１位置までスライドさせる。これにより、下部ナット２１Ｂがナット嵌入部４５から離脱し、上部ナット２２Ｂのみをナット嵌入部４５に嵌入させた状態となる。したがって、緩み止めナット用ソケットレンチ１Ｂをさらに締め付け方向に回転させると、図４７（ｅ）に示すように、下部ナット２１Ｂにつづけて上部ナット２２Ｂを締結し緩み止めをすることができる。
【００６７】
以上のような本第２実施形態によれば、同径の下部ナット２１Ｂおよび上部ナット２２Ｂからなる緩み止めナット２Ｂを締結する場合でも、第１実施形態と同様に、作業性や操作性を向上させられる等の効果を奏することができる。
【００６８】
なお、本発明に係る緩み止めナット用ソケットレンチおよび緩み止めナット締結方法は、前述した各実施形態に限定されるものではなく、適宜変更することができる。
【００６９】
例えば、上述した各実施形態では、上部ナット保持手段５および下部ナット保持手段６として、板バネを使用しているが、これに限られるものではなく、上部ナット嵌入部３４、下部ナット嵌入部４２あるいはナット嵌入部４５内に突設されて、下部ナット２１Ａ，２１Ｂあるいは上部ナット２２Ａ，２２Ｂを保持しうるものであれば、ゴム等のような弾性体を設けるようにしてもよい。
【００７０】
また、上述した各実施形態では、内ソケット３あるいはスライド軸部材８の後端面に形成されたレバー接続部３５に、締結レバー等の回転用工具を挿入して緩み止めナット用ソケットレンチを回転させているが、これに限られるものではなく、内ソケット３あるいはスライド軸部材８の後端部に回転用のハンドルを予め一体的に形成するようにしてもよい。
【００７１】
また、上述した第１実施形態では、凸部２４および凹部２５を備えた上部ナット２２Ａおよび下部ナット２１Ａを使用しているが、凸部２４や凹部２５のない緩み止めナットにも適用可能である。
【００７２】
さらに、上述した各実施形態では、２つの組み合わせからなる緩み止めナットを締結する場合について説明したが、これに限られるものではなく、３つ以上の組み合わせからなる緩み止めナットを締結しうるように構成することもできる。
【００７３】
この場合、具体的には、第１実施形態の構成において、上部ナット２２Ａよりも小径の第３ナットを備えた緩み止めナットを締結するには、内ソケット３よりも小径の第３ソケットに、第３ナット嵌入部と第３ナット保持手段を設けるとともに、位置切換手段７によって、第３ソケットと内ソケット３との相対位置を上述した第１位置と第２位置のごとき関係にある切り換え可能に構成する。この場合、第１位置に相当する第３位置は、内ソケット３と第３ソケットの先端面が略一致する位置に設定し、第２位置に相当する第４位置は、第３ソケットの先端面が、第１位置から第３ナットの高さと略同一の距離で後方に退避された位置に設定すればよい。
【００７４】
また、第２実施形態の構成において、上部ナット２２Ｂおよび下部ナット２１Ｂと同径の第３ナットを備えた緩み止めナットを締結するには、ソケット４Ｂに別途、第３ナット保持手段を設けるとともに、位置切換手段７によって、ソケット４Ｂとスライド軸部材８との相対位置を第３位置にも設定しうるように構成する。この場合、第３位置は、スライド軸部材８の先端部が第２位置から第３ナットの高さ超の距離を後方に退避した位置に設定すればよい。
【図面の簡単な説明】
【００７５】
【図１】本発明に係る緩み止めナット用ソケットレンチの第１実施形態を示す正面図である。
【図２】図１の平面図である。
【図３】図１の背面図である。
【図４】図１の底面図である。
【図５】図１の右側面図である。
【図６】図１の左側面図である。
【図７】図２の７Ａ−７Ａ線断面図である。
【図８】本第１実施形態の緩み止めナット用ソケットレンチを第１位置に設定した状態の正面図である。
【図９】本第１実施形態の緩み止めナット用ソケットレンチを第１位置に設定した状態における図２の７Ａ−７Ａ線断面図である。
【図１０】本第１実施形態における緩み止めナットの上部ナットを示す（ａ）正面図、（ｂ）平面図、（ｃ）底面図、（ｄ）図１０（ｂ）の１０ｄ−１０ｄ線断面図である。
【図１１】本第１実施形態における緩み止めナットの下部ナットを示す（ａ）正面図、（ｂ）平面図、（ｃ）底面図、（ｄ）図１０（ｂ）の１１ｄ−１１ｄ線断面図である。
【図１２】本第１実施形態の内ソケットの正面図である。
【図１３】図１２の平面図である。
【図１４】図１２の背面図である。
【図１５】図１２の右側面図である。
【図１６】図１２の左側面図である。
【図１７】図１３の１７Ａ−１７Ａ線断面図である。
【図１８】本第１実施形態の外ソケットの正面図である。
【図１９】図１８の平面図である。
【図２０】図１８の底面図である。
【図２１】図１８の右側面図である。
【図２２】図２０の２２Ａ−２２Ａ線断面図である。
【図２３】図２１の２３Ａ−２３Ａ線断面図である。
【図２４】本第１実施形態の上部ナット保持手段および下部ナット保持手段を示す（ａ）正面図、および（ｂ）２４ｂ−２４ｂ線断面図である。
【図２５】本第１実施形態の位置決め凸部材を示す（ａ）正面図、および（ｂ）平面図である。
【図２６】本第１実施形態における緩み止めナット用ソケットレンチの使用方法を示す図である。
【図２７】本発明に係る緩み止めナット用ソケットレンチの第２実施形態を示す正面図である。
【図２８】図２７の平面図である。
【図２９】図２７の背面図である。
【図３０】図２７の底面図である。
【図３１】図２７の右側面図である。
【図３２】図２７の左側面図である。
【図３３】本第２実施形態の緩み止めナット用ソケットレンチを第１位置に設定した状態の断面図である。
【図３４】本第２実施形態の緩み止めナット用ソケットレンチを第２位置に設定した状態の断面図である。
【図３５】本第２実施形態のスライド軸部材の正面図である。
【図３６】図３５の背面図である。
【図３７】図３５の底面図である。
【図３８】図３５の右側面図である。
【図３９】図３５の左側面図である。
【図４０】図３８の４０Ａ−４０Ａ線断面図である。
【図４１】本第２実施形態のソケットの正面図である。
【図４２】図４１の平面図である。
【図４３】図４１の背面図である。
【図４４】図４１の底面図である。
【図４５】図４１の右側面図である。
【図４６】図４５の４６Ａ−４６Ａ線断面図である。
【図４７】本第２実施形態における緩み止めナット用ソケットレンチの使用方法を示す図である。
【符号の説明】
【００７６】
１Ａ，１Ｂ  緩み止めナット用ソケットレンチ
２Ａ，２Ｂ  緩み止めナット
３  内ソケット
４Ａ  外ソケット
４Ｂ  ソケット
５  上部ナット保持手段
６  下部ナット保持手段
７  位置切換手段
８  スライド軸部材
２１Ａ，２１Ｂ  下部ナット
２２Ａ，２２Ｂ  上部ナット
２３  ネジ穴
２４  凸部
２５  凹部
３１  スライド部
３２  ヘッド部
３３  挿通孔
３４  上部ナット嵌入部
３５  レバー接続部
３６  上部ナット保持用収容凹部
４１  挿入孔
４２  下部ナット嵌入部
４３  下部ナット保持用収容凹部
４４  位置決め付勢部材嵌入凹溝
４５  ナット嵌入部
５１  上部ナット保持用貫通孔
５２  上部ナット押圧部材
５３  上部ナット付勢部材
５３ａ  円形穴
６１  下部ナット保持用貫通孔
６２  下部ナット押圧部材
６３  下部ナット付勢部材
６３ａ  円形穴
７１  位置決め用貫通孔
７２  位置決め凸部材
７３  位置決め付勢部材
７４Ａ，７４Ｂ  第１位置決め溝
７５Ａ，７５Ｂ  第２位置決め溝
７６  スライド溝
Ｂ  ボルト
Ｓ  固定ネジ
Ｘ  締結物
Ｙ  被締結物
ｈ  下孔
Ｈ  六角側面高さ
【図１】
2007229903.tif 000003
【図２】
2007229903.tif 000004
【図３】
2007229903.tif 000005
【図４】
2007229903.tif 000006
【図５】
2007229903.tif 000007
【図６】
2007229903.tif 000008
【図７】
2007229903.tif 000009
【図８】
2007229903.tif 000010
【図９】
2007229903.tif 000011
【図１０】
2007229903.tif 000012
【図１１】
2007229903.tif 000013
【図１２】
2007229903.tif 000014
【図１３】
2007229903.tif 000015
【図１４】
2007229903.tif 000016
【図１５】
2007229903.tif 000017
【図１６】
2007229903.tif 000018
【図１７】
2007229903.tif 000019
【図１８】
2007229903.tif 000020
【図１９】
2007229903.tif 000021
【図２０】
2007229903.tif 000022
【図２１】
2007229903.tif 000023
【図２２】
2007229903.tif 000024
【図２３】
2007229903.tif 000025
【図２４】
2007229903.tif 000026
【図２５】
2007229903.tif 000027
【図２６】
2007229903.tif 000028
【図２７】
2007229903.tif 000029
【図２８】
2007229903.tif 000030
【図２９】
2007229903.tif 000031
【図３０】
2007229903.tif 000032
【図３１】
2007229903.tif 000033
【図３２】
2007229903.tif 000034
【図３３】
2007229903.tif 000035
【図３４】
2007229903.tif 000036
【図３５】
2007229903.tif 000037
【図３６】
2007229903.tif 000038
【図３７】
2007229903.tif 000039
【図３８】
2007229903.tif 000040
【図３９】
2007229903.tif 000041
【図４０】
2007229903.tif 000042
【図４１】
2007229903.tif 000043
【図４２】
2007229903.tif 000044
【図４３】
2007229903.tif 000045
【図４４】
2007229903.tif 000046
【図４５】
2007229903.tif 000047
【図４６】
2007229903.tif 000048
【図４７】
2007229903.tif 000049